(57)【特許請求の範囲】
【請求項１】
矩形の箱底部１１と、箱底部１１の前後及び左右に第１の折り目１２、１３及び第２の折り目１４、１５を介してそれぞれ連接し、各々対向配置された第１の外壁部１６、１７及び第２の外壁部１８、１９と、第１、第２の外壁部１６〜１９の外側に幅狭の第１の二重折り目２０、２１及び第２の二重折り目２２、２３を介してそれぞれ連接する第１の内壁部２４、２５及び第２の内壁部２６、２７とを有する紙製折込み箱の一次組立品であって、
第１の外壁部１６、１７の両側端部には、第３の折り目２８〜３１を介して側板連結片３２〜３５がそれぞれ設けられ、
側板連結片３２〜３５は、箱底部１１の角部を起点とする斜め折り目３６〜３９によって、斜め折り目３６〜３９より基側に形成された折曲げ片４０〜４３と、斜め折り目３６〜３９より先側に形成された接着片４４〜４７とをそれぞれ備え、
第１の内壁部２４、２５は、第１の二重折り目２０、２１で折り畳まれてそれぞれ第１の外壁部１６、１７に重合し、さらに重合する第１の外壁部１６、１７及び第１の内壁部２４、２５からなる第１の側壁部４８、４９は、第１の折り目１２、１３で折り畳まれて箱底部１１に重合し、しかも接着片４４〜４７は、斜め折り目３６〜３９で折り畳まれて折曲げ片４０〜４３と重合した状態で第２の外壁部１８、１９に接着され、第２の内壁部２６、２７は、第２の二重折り目２２、２３で折り畳まれて第２の外壁部１８、１９に重合して平板状とし、組立完成時には、接着片４４〜４７と折曲げ片４０〜４３は、実質的に同一平面を形成し、
しかも、該一次組立品にあっては、第２の折り目１４、１５及び第３の折り目２８〜３１には予め折ぐせが付与されていることを特徴とする平板状となった紙製折込み箱の一次組立品。
【請求項２】
請求項１記載の紙製折込み箱の一次組立品において、第１の内壁部２４、２５の両側端部には、組立完成時において折曲げ片４０〜４３と共に第２の外壁部１８、１９及び第２の内壁部２６、２７の間に配置される角部整形片５０〜５３が設けられていることを特徴とする紙製折込み箱の一次組立品。
【請求項３】
請求項１又は２記載の紙製折込み箱の一次組立品において、第１の内壁部２４、２５の両側端部の外側には切欠き５４〜５７がそれぞれ形成され、第２の内壁部２６、２７には、組立完成時に切欠き５４〜５７に掛合する掛止片５８〜６１がそれぞれ形成されていることを特徴とする紙製折込み箱の一次組立品。
【発明の詳細な説明】
【０００１】
【発明の属する技術分野】
本発明は、例えば、段ボールからなって野菜や果物の梱包に用いられる紙製折込み箱の一次組立品に関する。
【０００２】
【従来の技術】
従来より、例えば、野菜や果物の梱包には、段ボールからなる紙製折込み箱が用いられていた。作物の収穫前に紙製折込み箱を組み立てた状態で保管しておくと邪魔になるが、展開状態から組み立てるのは手間がかかる。このため、紙製折込み箱を平板状に折り畳んだ一次組立品の状態で保管しておき、必要なときに必要な数だけ組立てた組立完成品を使用していた。
例えば、図８に示すように、従来例に係る紙製折込み箱１１０は、矩形の箱底部１１１と、箱底部１１１の前後及び左右に第１の折り目１１２、１１３及び第２の折り目１１４、１１５を介してそれぞれ連接し、各々対向配置された第１の外壁部１１６、１１７及び第２の外壁部１１８、１１９と、第１、第２の外壁部１１６〜１１９の外側に幅狭の第１の二重折り目１２０、１２１及び第２の二重折り目１２２、１２３を介してそれぞれ連接する第１の内壁部１２４、１２５及び第２の内壁部１２６、１２７とを有し、隣接する第１、第２の外壁部１１６〜１１９を側板連結片１３２〜１３５で接続していた。
【０００３】
側板連結片１３２〜１３５と第１の外壁部１１６、１１７の間には、第３の折り目１２８〜１３１が形成され、側板連結片１３２〜１３５と第２の外壁部１１８、１１９の間には、第４の折り目１６２〜１６５が形成されている。また、側板連結片１３２〜１３５は、箱底部１１１の角部を起点とする斜め折り目１３６〜１３９によって、斜め折り目１３６〜１３９より第１の外壁部１１６、１１７側に形成された折曲げ片１４０〜１４３と、斜め折り目１３６〜１３９より第２の外壁部１１８、１１９側に形成された接着片１４４〜１４７とをそれぞれ備えていた。また、第１の内壁部１２４の前側及び第１の内壁部１２５の後側には、矩形の接着部１５２ａ、１５３ａが設けられ、第２の内壁部１２６の左側及び第２の内壁部１２７の右側には、箱底当接部１５４ａ、１５５ａが設けられていた。さらに、第１の内壁部１２４、１２５のそれぞれ両側には、角部整形片１５０〜１５３が設けられ、さらに第１の内壁部１２４の両側端部の前側、及び第１の内壁部１２５の両側端部の後側には、切欠き１５４〜１５７がそれぞれ形成され、第２の内壁部１２６、１２７の両側には、切欠き１５４〜１５７に対応して掛合可能な掛止片１５８〜１６１がそれぞれ設けられている。
【０００４】
一次組立品を製造するときには、まず、接着部１５２ａ、１５３ａ及び接着片１４４〜１４７に接着剤を塗布する。次いで、第１の内壁部１２４、１２５を第１の二重折り目１２０、１２１で折曲げて第１の外壁部１１６、１１７に重合させ、接着部１５２ａ、１５３ａを箱底部１１１にそれぞれ接着する。次に、第１の外壁部１１６、１１７及び側板連結片１３２〜１３５を第１の折り目１１２、１１３及び第４の折り目１６２〜１６５から折り畳んで箱底部１１１に重合させ、また、接着片１４４〜１４７を第２の外壁部１１８、１１９にそれぞれ接着する。
紙製折込み箱１１０は、この状態で積層して梱包され、ユーザー宛に出荷されていた。
【０００５】
一次組立品の紙製折込み箱１１０を組立完成品にするときには、図９に示すように、第２の外壁部１１８、１１９を第２の折り目１１４、１１５から折り曲げる。このとき、第２の外壁部１１８、１１９には接着片１４４〜１４７が接着されているので、斜め折り目１３６〜１３９、第３の折り目１２８〜１３１、及び第１の折り目１１２、１１３が屈曲しながら第１の外壁部１１６、１１７及び第１の内壁部１２４、１２５が立ち上がり、接着片１４４〜１４７と折曲げ片１４０〜１４３が重合する。次に、第２の内壁部１２６、１２７を第２の二重折り目１２２、１２３から折り畳んで、接着片１４４〜１４７、折曲げ片１４０〜１４３、及び角部整形片１５０〜１５３を、第２の外壁部１１８、１１９との間に挟んで配置する。そして、各掛止片１５８〜１６１を対応する各切欠き１５４〜１５７に掛合させる。このようにして組立完成品を組立て、使用することができた。
【０００６】
【発明が解決しようとする課題】
しかしながら、前記従来の紙製折込み箱１１０には、以下のような問題があった。
図１０（Ａ）、（Ｂ）に示すように、第２の外壁部１１８、１１９と第２の内壁部１２６、１２７との間には、接着片１４４〜１４７、折曲げ片１４０〜１４３、及び角部整形片１５０〜１５３が挟まれて配置されているが、各折曲げ片１４０〜１４３は、斜め折り目１３６〜１３９で屈曲して各接着片１４４〜１４７に折り畳まれて、すなわち１８０度回動して配置されている。紙製折込み箱１１０は厚みの厚い段ボールからなっているので、各折曲げ片１４０〜１４３には反発力が加わり、回動して各接着片１４４〜１４７から離反しようとする。このため、組立完成品となった紙製折込み箱１１０は、それぞれの角部に隙間１６６が発生し、切欠き１５４〜１５７と掛止片１５８〜１６１の掛合部分が外れ易くなり、また、外観性が損なわれていた。
さらに、一次組立品から組立完成品を組み立てるときには、ユーザー側が現場で手作業によって組み立てる場合が多いが、第２の内壁部１２６、１２７を第２の二重折り目１２２、１２３で折り畳むのには大きな力が必要で、多数の紙製折込み箱１１０を短時間で組み立てることが困難であった。
また、接着片１４４〜１４７は、第４の折り目１６２〜１６５で屈曲して折り畳まれて第２の外壁部１１８、１１９に接着されているので、それぞれの接着面には、剥がれようとする方向に力が加わっており、使用する接着剤の強度を必要以上に強くしなければならなかった。
本発明はかかる事情に鑑みてなされたもので、角部を確実に接続できると共に、組立完成品を容易に組み立てることができ、接着部分に加わる力を小さくできる紙製折込み箱の一次組立品を提供することを目的とする。
【０００７】
【課題を解決するための手段】
前記目的に沿う本発明に係る紙製折込み箱の一次組立品は、矩形の箱底部１１と、箱底部１１の前後及び左右に第１の折り目１２、１３及び第２の折り目１４、１５を介してそれぞれ連接し、各々対向配置された第１の外壁部１６、１７及び第２の外壁部１８、１９と、第１、第２の外壁部１６〜１９の外側に幅狭の第１の二重折り目２０、２１及び第２の二重折り目２２、２３を介してそれぞれ連接する第１の内壁部２４、２５及び第２の内壁部２６、２７とを有する紙製折込み箱の一次組立品であって、
第１の外壁部１６、１７の両側端部には、第３の折り目２８〜３１を介して側板連結片３２〜３５がそれぞれ設けられ、
側板連結片３２〜３５は、箱底部１１の角部を起点とする斜め折り目３６〜３９によって、斜め折り目３６〜３９より基側に形成された折曲げ片４０〜４３と、斜め折り目３６〜３９より先側に形成された接着片４４〜４７とをそれぞれ備え、
第１の内壁部２４、２５は、第１の二重折り目２０、２１で折り畳まれてそれぞれ第１の外壁部１６、１７に重合し、さらに重合する第１の外壁部１６、１７及び第１の内壁部２４、２５からなる第１の側壁部４８、４９は、第１の折り目１２、１３で折り畳まれて箱底部１１に重合し、しかも接着片４４〜４７は、斜め折り目３６〜３９で折り畳まれて折曲げ片４０〜４３と重合した状態で第２の外壁部１８、１９に接着され、第２の内壁部２６、２７は、第２の二重折り目２２、２３で折り畳まれて第２の外壁部１８、１９に重合して平板状とし、組立完成時には、接着片４４〜４７と折曲げ片４０〜４３は、実質的に同一平面を形成し、
しかも、該一次組立品にあっては、第２の折り目１４、１５及び第３の折り目２８〜３１には予め折ぐせが付与され、更に平板状となっている。
【０００８】
折り畳むとは、折り目部分を中心にその両側部分を相対的に実質的に１８０度回動させることをいう。このとき、両側部分は重合する場合もあるが、少しの隙間を有して実質的に平行に配置される場合もある。二重折り目とは、少しの間隔をあけて平行に設けられた２本の折り目のことをいう。
一次組立時において、箱底部と第２の外壁部は、展開時と同じ同一平面上に配置され、第１の外壁部と折曲げ片は、折り畳まれて、すなわち展開時の裏返しの状態で配置される。接着片は、折り畳まれて、折曲げ片に重合するので、展開状態における裏側部を、第２の外壁部の表側部に接着する。
紙製折込み箱の組立完成時においては、第１、第２の外壁部を箱底部に対して立設するので、接着片と折曲げ片は、折り畳み状態から広げられて、同一平面上に配置される。従って、第１、第２の外壁部は、第１の外壁部との間が実質的に直角に折曲げられた折曲げ片、及び折曲げ片と同一面上に配置された接着片を介して接続されるので、組立完成時に第１、第２の外壁部を外側に広げようとする力が小さくなり、角部を確実に接続でき、接着部分に加わる力が小さくなり、組立が容易で、かつ使用時に変形しにくくなっている。
また、組立完成時には、４カ所の二重折り目はそれぞれ折り畳まれた状態で第１、第２の内壁部を第１、第２の外壁部に重合するが、第１、第２の内壁部を一次組立品の状態で折り畳んでいるので、組立完成時の作業を容易にして、短時間で確実に組み立てることができる。
なお、第１の内壁部と第１の外壁部は、接着して固定することが好ましい。接着は、第１の内壁部と第１の外壁部を直接接着することができ、また、第１の内壁部の外側に箱底当接片を連接しておき、該箱底当接片を箱底部に接着することも可能である。
【０００９】
ここで、第１の内壁部２４、２５の両側端部に、組立完成時において折曲げ片４０〜４３と共に第２の外壁部１８、１９及び第２の内壁部２６、２７の間に配置される角部整形片５０〜５３を設けることも可能である。
組立完成時には、第２の外壁部と第２の内壁部は、側板連結片を挟んだ位置にそれぞれ配置されるが、二重折り目の幅が広い場合には、１枚の側板連結片だけでは第２の外壁部及び第２の内壁部の位置決めを同時に行うことができない。角部整形片を設けることによって、組立時に側板連結片と角部整形片を、第２の外壁部と第２の内壁部にそれぞれ内側から当接させて支持し、位置決めを確実に行って変形を防止することができる。
【００１０】
また、第１の内壁部２４、２５の両側端部の外側に切欠き５４〜５７をそれぞれ形成し、第２の内壁部２６、２７に、組立完成時に切欠き５４〜５７に掛合する掛止片５８〜６１をそれぞれ形成することも可能である。外側とは、前側の第１の内壁部２４の前側、及び後側の第１の内壁部２５の後側をいう。かかる構成によって、組立完成時に隣接する第１、第２の内壁部を確実に固定することができ、紙製折込み箱の強度を増すと共に外観をよくすることができる。
なお、本発明に係る紙製折込み箱の一次組立品の前後及び左右の方向は逆に配置した場合にも当然適用される。
【００１１】
【発明の実施の形態】
続いて、添付した図面を参照しつつ、本発明を具体化した実施の形態について説明し、本発明の理解に供する。
図１に示すように、本発明の一実施の形態に係る紙製折込み箱の一次組立品（以下、単に紙製折込み箱という）１０は、例えば、段ボールからなって、平板状の一次組立品の状態で出荷され、ユーザーが使用時に組み立てて野菜や果物を収納し、出荷するときに用いることができる。
紙製折込み箱１０は、横長矩形の箱底部１１と、箱底部１１の前後及び左右に第１の折り目１２、１３及び第２の折り目１４、１５を介してそれぞれ連接し、各々対向配置された第１の外壁部１６、１７及び第２の外壁部１８、１９と、第１、第２の外壁部１６〜１９の外側に幅狭の第１の二重折り目２０、２１及び第２の二重折り目２２、２３を介してそれぞれ連接する第１の内壁部２４、２５及び第２の内壁部２６、２７とを有している。以下、詳しく説明する。
【００１２】
第１、第２の折り目１２〜１５は、通常１本に形成されるが、二重折り目にして折曲げ時の抵抗を小さくすることも可能である。
第１、第２の外壁部１６〜１９は矩形に形成され、第１の外壁部１６、１７の長手方向長さは箱底部１１の左右長さと、第２の外壁部１８、１９の長手方向長さは箱底部１１の前後長さと実質的に同じ長さに形成されている。
第１の外壁部１６、１７の両側端部には、第３の折り目２８〜３１を介して側板連結片３２〜３５がそれぞれ設けられている。側板連結片３２〜３５には、箱底部１１の角部を起点として、第３の折り目２８〜３１に対して例えば、４５度の方向に形成された斜め折り目３６〜３９が形成されている。そして、斜め折り目３６〜３９より基側に折曲げ片４０〜４３を形成し、斜め折り目３６〜３９より先側に接着片４４〜４７を形成している。
【００１３】
次に、側板連結片３２〜３５の形状について説明するが、側板連結片３２〜３５は実質的に同一形状に形成されているため、ここでは、側板連結片３２についてのみ説明する。側板連結片３２に形成された斜め折り目３６の長さは、第１の外壁部１６及び第２の外壁部１８に接続する仮想矩形６６の対角線より短く形成され、側板連結片３２の折曲げ片４０は、斜め折り目３６と、第３の折り目２８と、斜め折り目３６の外側端及び第３の折り目２８の外側端を結ぶ直線とによって囲まれる三角形状に形成されている。また、接着片４４は、仮想矩形６６の左辺と、仮想矩形６６の底辺（後側辺）と、斜め折り目３６と、斜め折り目３６の外側端から底辺に平行に左側に引いた直線で囲まれた台形状に形成されている。第２の外壁部１８と接着片４４は、カッターによる切れ目６７によって分離されている。なお、他の接着片４５〜４７と第２の外壁部１８、１９との間も切れ目６８〜７０によって分離されている。
【００１４】
次に、第１、第２の二重折り目２０〜２３を介して第１、第２の外壁部１６〜１９の外側に連接された第１、第２の内壁部２４〜２７について説明する。
第１、第２の二重折り目２０〜２３のそれぞれ平行な２本の折り目の間には、壁部天板６２〜６５がそれぞれ形成され、各壁部天板６２〜６５の外側の両角部は丸く形成されている。各壁部天板６２〜６５の両端部は、組立完成時に重合する。
第１の内壁部２４、２５は、矩形に形成され、その長手方向長さは、第１の外壁部１６、１７の長手方向長さより短く形成されている。また、第１の内壁部２４の両側端部の後側、及び第１の内壁部２５の両側端部の前側には、先部を丸く形成した角部整形片５０〜５３が設けられている。角部整形片５０〜５３は、第１の内壁部２４、２５を第１の二重折り目２０、２１から折り畳んだときに折曲げ片４０〜４３にそれぞれ重合し、その先部は、折曲げ片４０〜４３の外側に突出しない大きさに形成されている。角部整形片５０〜５３は、組立完成時において折曲げ片４０〜４３と共に第２の外壁部１８、１９及び第２の内壁部２６、２７の間に配置される。また、第１の内壁部２４の両側端部の前側及び第１の内壁部２５の両側端部の後側、すなわちそれぞれ外側には、切欠き５４〜５７がそれぞれ形成されている。
【００１５】
第２の内壁部２６、２７は、第２の二重折り目２２、２３に接続する部分を第２の外壁部１８、１９の長手方向長さよりそれぞれ短く形成し、その長手方向長さを外側端に向かってそれぞれ徐々に拡幅させて形成している。また、第２の内壁部２６の両側端部の左側（外側）及び第２の内壁部２７の両側端部の右側（外側）には、組立完成時に切欠き５４〜５７に掛合する掛止片５８〜６１がそれぞれ形成されている。掛止片５８〜６１を含めた第２の内壁部２６、２７の長手方向長さは、第２の外壁部１８、１９の長手方向長さと実質的に同じにしている。また、第２の内壁部２６、２７の外側には、それぞれ矩形の箱底当接板７１、７２が設けられている。
図２に示すように、第１の内壁部２４、２５は、第１の二重折り目２０、２１で折り畳まれてそれぞれ第１の外壁部１６、１７に重合して接着され、第１の側壁部４８、４９を構成する。
【００１６】
図３に示すように、第１の側壁部４８、４９は、第１の折り目１２、１３で折り畳まれて箱底部１１に重合する。また、接着片４４〜４７は、斜め折り目３６〜３９で折り畳まれて折曲げ片４０〜４３と重合した状態で第２の外壁部１８、１９に接着される。
また、図４に示すように、第２の内壁部２６、２７は、第２の二重折り目２２、２３で折り畳まれて第２の外壁部１８、１９に重合して第２の側壁部７３、７４を形成し、平板状の一次組立品が構成される。
図５、図７に示すように、第２の外壁部１８、１９と第１の側壁部４８、４９を立設させ、第２の内壁部２６、２７の各掛止片５８〜６１を対応する切欠き５４〜５７に掛合させ、組立完成品にする。
図６に示すように、紙製折込み箱１０の組立完成時には、接着片４４〜４７と折曲げ片４０〜４３は、実質的に同一平面を形成する。折曲げ片４０〜４３は、第３の折り目２８〜３１を実質的に直角に曲げているが、斜め折り目３６〜３９を折曲げていないので、第２の外壁部１８、１９を外側に広げる方向に押す力は弱い。従って、組立完成後の紙製折込み箱１０の角部に隙間が生じにくく、掛止片５８〜６１が切欠き５４〜５７から外れることを防止して強度を保持でき、また、紙製折込み箱１０が壊れにくくなると共に、外観を向上させることができる。
【００１７】
次いで、紙製折込み箱１０の製造手順について説明する。
（外形形成工程）
紙製折込み箱１０は、まず、所定の抜き型によって切断され、図１に示す展開状態に形成される。
（折ぐせ付与工程）
第２の折り目１４、１５及び第３の折り目２８〜３１は、一次組立品を製造するときには折曲げられず、ユーザーに出荷されて組立完成品が製作されるときにはじめて折曲げられる。従って、一次組立品を製造するときに予め折ぐせを付与しておくことにより、ユーザーの負担を減らし、組立作業を迅速かつ簡単に行うことができる。
【００１８】
（接着剤塗布工程）
接着剤は、例えば、感圧式のものを展開状態の紙製折込み箱１０を送るローラに転写して塗布することができる。接着剤は、第１の内壁部２４、２５のそれぞれ外側に近い部分の表側の左右に長い矩形範囲と、第１の外壁部１６、１７のそれぞれ内側に近い部分の前記矩形範囲に対応する矩形範囲にそれぞれ塗布する。また、接着片４４〜４７の裏側の略全面の台形範囲と、該台形範囲を、箱底部１１の近接する角部の頂点を中心にそれぞれ隣接する第２の外壁部１８、１９側にそれぞれ９０度回動させたとき、該台形範囲に重合する第２の外壁部１８、１９の表側部分にも接着剤をそれぞれ塗布する。接着剤を展開状態の紙製折込み箱１０の表裏の両面に塗布するので、使用する接着剤は、流れにくい合成糊を使用している。
【００１９】
（第１の側壁部形成工程）
図２に示すように、第１の二重折り目２０、２１を折曲げて、第１の内壁部２４、２５を第１の外壁部１６、１７に重合させ、接着剤を塗布した矩形範囲を当接させ、押圧して接着させる。
（接着片接続工程）
図３に示すように、第１の折り目１２、１３を折曲げて第１の側壁部４８、４９を箱底部１１に当接させる。また、側板連結片３２〜３５を斜め折り目３６〜３９で折り畳み、接着片４４〜４７を折曲げ片４０〜４３に重合させると共に、接着片４４〜４７を第２の外壁部１８、１９の接着剤を塗布した台形範囲に重合させ、接着片４４〜４７を第２の外壁部１８、１９に押圧して接着する。
【００２０】
（第２の側壁部形成工程）
図４に示すように、第２の内壁部２６、２７を第２の二重折り目２２、２３から折曲げて、第２の外壁部１８、１９に隙間をあけた状態で重合させる。このようにして一次組立品を製造することができる。一次組立品は平板状に形成されるので、輸送時に嵩張らず、また、第２の内壁部２６、２７を折曲げているので、コンパクトに形成することができる。
【００２１】
次いで、一次組立品を完成組立品を作製する手順について説明する。
（側壁立設工程）
図５、図７に示すように、第２の内壁部２６、２７を両側の壁部天板６２、６３に載せた状態で、第２の外壁部１８、１９を第２の折り目１４、１５から折曲げると、折曲げ片４０〜４３が斜め折り目３６〜３９を中心に回動して折り畳み状態から広がり、また、第１の側壁部４８、４９が、第３の折り目２８〜３１及び第１の折り目１２、１３を中心に回動して立設する。そして、壁部天板６２、６３に載った状態の第２の内壁部２６、２７を第２の二重折り目２２、２３から再度折り畳んで、各掛止片５８〜６１を対応する切欠き５４〜５７に掛合させ、組立完成品にする。第２の内壁部２６、２７は、外側に向かって徐々に拡幅しているので、組立完成時には、切欠き５４〜５７に確実に掛合してはずれにくくなっている。
以上、本発明に係る実施の形態について説明してきたが、本発明は、前記実施の形態に限定されるものではなく、例えば、前記実施の形態においては、接着剤の塗布を両方の接着面に対して行っているが、片面でもよい。また、糊以外に両面テープ等の他の接着手段を用いることも可能である。
さらに、本実施の形態においては、厚みの厚い段ボールを用いた場合について説明したが、コートボール紙や厚みの薄いＥフルート等の段ボールを用いた場合には、紙製折込み箱１０を、以下のように変形して用いることもできる。
すなわち、前記実施の形態では、第１の内壁部２４、２５を第１の外壁部１６、１７にそれぞれ直接接着していたが、第１の内壁部のそれぞれ外側端に図示しない接着片を連接して形成し、この部分を箱底部に接着することも可能である。かかる構成によって、第１の外壁部及び第１の内壁部を平行に配置して形成することも可能になり、外観を向上させることができる。
【００２２】
【発明の効果】
請求項１〜３記載の紙製折込み箱の一次組立品においては、接着片を、斜め折り目で折り畳んで折曲げ片と重合した状態で、第２の外壁部に接着し、組立完成時に接着片と折曲げ片が同一平面を形成するので、第１、第２の外壁部を外側に広げようとする力を小さくでき、組立を容易にして使用時に変形しにくくすることが可能である。
また、第１、第２の内壁部を一次組立品の状態で折り畳んでいるので、組立完成時の作業を容易にして、短時間で確実に組み立てることができる。
特に、請求項２記載の紙製折込み箱の一次組立品においては、角部整形片を設けるので、組立時に側板連結片と角部整形片を第２の外壁部と第２の内壁部に内側からそれぞれ当接させて支持し、位置決めを確実に行って変形を防止することができる。
そして、請求項３記載の紙製折込み箱の一次組立品においては、第１、第２の内壁部の両側端部に互いに掛合する切欠き及び掛止片をそれぞれ形成するので、組立完成時に隣接する第１、第２の内壁部を確実に固定することができる。
【図面の簡単な説明】
【図１】本発明の一実施の形態に係る紙製折込み箱の一次組立品の展開図である。
【図２】同紙製折込み箱の一次組立品の組立状態を示す平面図である。
【図３】同紙製折込み箱の一次組立品の組立状態を示す平面図である。
【図４】同紙製折込み箱の一次組立品の平面図である。
【図５】同紙製折込み箱の一次組立品からの組立状態を示す斜視図である。
【図６】同紙製折込み箱の組立完成品の部分平断面図である。
【図７】同紙製折込み箱の組立完成品の斜視図である。
【図８】従来例に係る紙製折込み箱の展開図である。
【図９】同紙製折込み箱の組立状態を示す斜視図である。
【図１０】（Ａ）、（Ｂ）は、それぞれ同紙製折込み箱の組立完成品の部分平断面図である。
【符号の説明】
１０：紙製折込み箱の一次組立品、１１：箱底部、１２、１３：第１の折り目、１４、１５：第２の折り目、１６、１７：第１の外壁部、１８、１９：第２の外壁部、２０、２１：第１の二重折り目、２２、２３：第２の二重折り目、２４、２５：第１の内壁部、２６、２７：第２の内壁部、２８〜３１：第３の折り目、３２〜３５：側板連結片、３６〜３９：斜め折り目、４０〜４３：折曲げ片、４４〜４７：接着片、４８、４９：第１の側壁部、５０〜５３：角部整形片、５４〜５７：切欠き、５８〜６１：掛止片、６２〜６５：壁部天板、６６：仮想矩形、６７〜７０：切れ目、７１、７２：箱底当接板、７３、７４：第２の側壁部
【図１】
0004035295.tif 000002
【図２】
0004035295.tif 000003
【図３】
0004035295.tif 000004
【図４】
0004035295.tif 000005
【図５】
0004035295.tif 000006
【図６】
0004035295.tif 000007
【図７】
0004035295.tif 000008
【図８】
0004035295.tif 000009
【図９】
0004035295.tif 000010
【図１０】
0004035295.tif 000011